(57)【要約】【課題】部品点数を削減し、組立てやすい、押圧操作を受ける操作ボタンを備えた光学機器を提供することができる。【解決手段】押圧操作を受ける操作ボタン１０１と、操作ボタン１０１が表出する開口部が設けられた外装部材１０９と、操作ボタン１０１を押圧操作した時の押圧を検知する押圧検知スイッチ１１３とを有する光学機器であって、操作ボタン１０１は押圧検知スイッチ１１３を押圧する押圧突起１１２ｃと、押圧突起１１２ｃの対角線上に配置されたガイド穴部１１２ａ、１１２ｂを備え、外装部材１０９は前記操作ボタンのガイド穴部１１２ａ、１１２ｂとスライド自在に摺動するガイド軸部１０９ａ、１０９ｂを備えることを特徴とする。【選択図】図３
2015102824.tif 000002
【特許請求の範囲】
【請求項１】
押圧操作を受ける操作ボタンと、
前記操作ボタンが表出する開口部が設けられた外装部材と、
前記操作ボタンを押圧操作した時の押圧を検知する押圧検知スイッチと、
を有する光学機器であって、
前記操作ボタンは押圧検知スイッチを押圧する押圧突起と、
押圧突起の対角線上に配置されたガイド穴部を備え、
前記外装部材は前記操作ボタンのガイド穴部とスライド自在に摺動する
ガイド軸部を備える
ことを特徴とする光学機器。
【請求項２】
前記操作ボタンに配置されたガイド穴部は一方が円形状で他方がU溝形状である
ことを特徴とする請求項１に記載の光学機器。
【請求項３】
前記操作ボタンは前記円形状のガイド穴部よりも前記U溝形状のガイド穴部に近い側に、ガイド外れ防止形状を備える
ことを特徴とする請求項１に記載の光学機器。
【発明の詳細な説明】
【技術分野】
【０００１】
本発明は、動画撮影を行うボタンであるトリガーボタンを備える光学機器に関する。
【背景技術】
【０００２】
ビデオカメラやデジタルスチルカメラなどの光学機器は、撮影開始時にユーザーが操作する、トリガーボタンが備えられている。
【０００３】
このようなトリガーボタンにおいて、特許文献１に示す技術が開示されている。
【０００４】
特許文献１によって示された従来技術は、外装カバーと、外装カバーに設けられた開口から露出している操作ボタンと、操作ボタンを押圧操作したときの押圧を検知する、押圧検知スイッチとからなり、操作ボタンは保持部材に沿ってスライド自在に保持された軸部材と、軸部材の他端側に形成された押圧突起を有する。この時、軸部材の中心軸に対して押圧突起の中心軸をずらすことで、操作ボタンからの押圧を確実に検知するものである。
【先行技術文献】
【特許文献】
【０００５】
【特許文献１】特開2002−296655号公報
【発明の概要】
【発明が解決しようとする課題】
【０００６】
しかし、特許文献１によって示された従来の技術では、操作ボタンの軸部が保持部材に沿ってスライド自在に保持される構成をとっているため、部品点数が多くなるという問題がある。
【０００７】
そこで本発明は、部品点数を削減し、組立性を向上させた操作ボタンを備える光学機器を提供することを目的としている。
【課題を解決するための手段】
【０００８】
前述の目的を達成するために、本発明の特徴とする所は、押圧操作を受ける操作ボタンと、操作ボタンが表出する開口部が設けられた外装部材と、操作ボタンを押圧操作した時の押圧を検知する押圧検知スイッチとを有する光学機器であって、操作ボタンは押圧検知スイッチを押圧する押圧突起と、押圧突起の対角線上に配置されたガイド穴部を備え、外装部材は前記操作ボタンのガイド穴部とスライド自在に摺動するガイド軸部を備えることを特徴とする構成とする。
【０００９】
また本発明の他の特徴とする所は、前記操作ボタンに配置された穴部は、一方が円形状で、他方がU溝形状であることを特徴としている。
【００１０】
また本発明の他の特徴とする所は、前記操作ボタンは前記円形状の穴部よりも前記U溝形状の穴部に近い側に、ガイド外れ防止形状を備えることを特徴としている。
【発明の効果】
【００１１】
以上説明したように、本発明によれば、部品点数を削減し、組立性を向上させた操作ボタンを備える光学機器を提供することが可能となる。
【図面の簡単な説明】
【００１２】
【図１】本発明の実施形態に係るビデオカメラの斜視図
【図２】トリガーユニットの斜視図
【図３】トリガーユニットの分解斜視図
【図４】トリガーボタンの組立図
【図５】トリガーボタンと外装カバーによるガイド構成の説明図
【図６】トリガーボタンを斜め押しした時の断面図
【発明を実施するための形態】
【００１３】
以下、本発明の好ましい実施例について図面を参照しながら説明する。
【００１４】
［実施例］
本発明の実施形態においては、光学機器の一例としてビデオカメラを用いて説明する。
【００１５】
図１は本発明の実施の形態に係るビデオカメラ１００の斜視図である。
【００１６】
最初に図１を用いて、ビデオカメラ１００の構成を説明する。
【００１７】
図１に示すようにビデオカメラ１００には、トリガーボタン１０１、コネクタカバー１０２、サイドカバー１０３、再生ボタン１０４、ライトガイド１０５、表示部１０６、カードカバー１０７が存在する。
【００１８】
次に、ビデオカメラ１００の各構成要素について説明を行う。
【００１９】
トリガーボタン１０１は、使用者が動画撮影を行うための操作ボタンである。トリガーボタン１０１を押圧することで撮影が開始され、再度押圧することで撮影が停止する。これを繰り返すことで撮影開始と撮影停止が行われる。
【００２０】
コネクタカバー１０２は、屈曲変位可能な可撓性を有する適宜の弾性部材で形成されており、図示しないコネクタを埃や水滴から保護するためのカバーである。
【００２１】
図示しないコネクタは、例えばUSBコネクタやHDMI（登録商標）コネクタ、電源コネクタなどの、ビデオカメラ１００の外部と信号の入出力に用いるものである。
【００２２】
サイドカバー１０３は、ビデオカメラ１００の外観を形成する面であり、コネクタカバー１０２、再生ボタン１０４、ライトガイド１０５が設けられている。
【００２３】
再生ボタン１０４は、使用者からの入力を受け付け、再生モードへ移行するための操作ボタンである。再生ボタン１０４を押圧することで、再生モードのインデックス画面が表示部１０６に表示され撮影シーンを選択することができる。
【００２４】
ライトガイド１０５は、乳白色の樹脂部材もしくは無色透明の部材からなり、図示しない光源から照射された光を外部に導光し、使用者が光を視認できるようにする。使用者が光を認識する場面は、撮影中であることを知らせる点滅表示や、取り出し可能な記録媒体を検出した場合が挙げられる。
【００２５】
表示部１０６は、撮影した画像や撮影中の画像を表示するためのものであり、図示しないヒンジによって、ビデオカメラ１００に連結され、開閉可能になっている。
【００２６】
カードカバー１０７は、図示しない記録媒体やバッテリーを埃や水滴から保護するためのカバーである。図示しない記録媒体は、撮影画像を記録するもので、SDカードなどの取り出し可能なカードタイプである。
【００２７】
次に、本実施形態に関わるトリガーユニット１０８の構成要素について、図２、図３を用いて説明する。
【００２８】
図２はトリガーユニット１０８の斜視図である。図３（ａ）（ｂ）に示すように、トリガーユニット１０８の構成要素は、トリガーボタン１０１、外装カバー１０９、衝撃緩衝材１１０、押圧検知スイッチ１１３、フレキ受け板金１１４、フレキシブル基板１１５、板金取り付けビス１１６、フレキシブル基板取り付けビス１１７が存在する。
【００２９】
次に、トリガーユニット１０８の組み込み手順と構成要素の詳細について説明する。トリガーボタン１０１は、装飾キャップ１１１、ボタン本体１１２から構成されており、圧入組立てで一体化される。
【００３０】
装飾キャップ１１１は樹脂部材からなり、外観上はメッキ処理が施されている。
【００３１】
ボタン本体１１２は、赤色の樹脂部材からなり、装飾キャップ１１１の外観に穴部１１１ａを設けることで、トリガーボタン１０１に一体化された後、外観からボタン本体の表面部１１２ｅを確認することができる。また押圧検出スイッチ１１３を押圧する部分である押圧突起１１２ｃを設け、押圧突起１１２ｃの対角線上に円形ガイド穴１１２ａ、Ｕ溝ガイド穴１１２ｂを設ける。
【００３２】
衝撃緩衝材１１０は、装飾キャップ１１１のフランジ部１１１ｂ上に設置される。これによって、トリガーボタン１０１が押圧されストロークした後の戻り動作時に、トリガーボタン１０１と外装カバー１０９との衝突音を吸収することができる。
【００３３】
ここまでのトリガーボタン１０１の組立て状態を図４に示す。外装カバー１０９は、トリガーボタン１０１が表出する開口部１０９ｅが設けられている。さらに図５に示す様に、外装カバー１０９は、ボタン本体１１２の円形ガイド穴１１２ａと摺動するガイド軸１０９ａ、Ｕ溝ガイド穴１１２ｂと摺動するガイド軸１０９ｂが内側に配置されており、これによってトリガーボタン１０１がスライド自在に動作することができる。
【００３４】
このように特許文献１に示すような保持部材を介することなく、トリガーボタン１０１にガイド穴、外装カバー１０９にガイド軸を直接設ける構成をとることで、トリガーユニット１０８の部品点数を削減することができる。
【００３５】
押圧検知スイッチ１１３は、内部に接点部と弾性部材を設けるスイッチケース１１３ａと、押し込み動作で移動するスイッチキートップ部１１３ｂで構成されており、内部の弾性部材によって使用者は、トリガーボタン１０１の押圧操作時にクリック感を感じることができる。また、押圧検知スイッチ１１３は、フレキシブル基板１１５上に実装されている。
【００３６】
押圧検知スイッチ１１３を実装したフレキシブル基板１１５は、フレキ受け板金１１４上にビス１１７によって取り付けられる。この時、ビス１１７は押圧検知スイッチ１１３の電気的なグラウンドの役割も兼ねる。
【００３７】
押圧検知スイッチ１１３と一体化されたフレキ受け板金１１４は、最後に外装カバー１０９の取り付け穴１０９ｃ、１０９ｄにビス１１６によって取り付けられる。これによってトリガーボタン１０１を押し込んだ際にも、押圧検知スイッチ１１３が本体内部に移動しないように規制されている。
【００３８】
これまでの説明でトリガーユニット１０８の組立てが完了する。このように外装カバー１０９に対して、トリガーボタン１０１、押圧検知スイッチ１１３と一体化されたフレキ受け板金１１４が投げ込みで同一方向から順に組立てられるため、組み立て性の向上も図ることができる。
【００３９】
図６（ａ）にトリガーユニット１０８のトリガーボタン１０１が斜めに押し込まれた状態、図６（ｂ）に図６（ａ）のＡ−Ａ断面を示す。
【００４０】
ボタン本体１１２に設けられた、ガイド外れ防止形状１１２ｄがフレキ受け板金１１４に当接することでガイド外れを防止している。また図５に示す様にガイド外れ防止形状１１２ｄは、円形ガイド穴１１２ａよりもガイドが外れやすいＵ溝ガイド穴１１２ｂに近い側に設けることで、効果的にガイド外れを防止している。
【００４１】
以上、本発明の好ましい実施形態について説明したが、本発明は、これらの実施形態に限定されず、その要旨の範囲内で種々の変形および変更が可能である。
【符号の説明】
【００４２】
１００      ビデオカメラ
１０１      トリガーボタン
１０８      トリガーユニット
１０９      外装カバー
１０９ａ    ガイド軸
１０９ｂ    ガイド軸
１１０      衝撃緩衝材
１１１      装飾キャップ
１１２      ボタン本体
１１２ａ    円形ガイド穴
１１２ｂ    Ｕ溝ガイド穴
１１２ｃ    押圧突起
１１２ｄ    ガイド外れ防止形状
１１３      押圧検知スイッチ
１１４      フレキ受け板金
１１５      フレキシブル基板
１１６      板金取り付けビス
１１７      フレキシブル基板取り付けビス
【図１】
2015102824.tif 000003
【図２】
2015102824.tif 000004
【図３】
2015102824.tif 000005
【図４】
2015102824.tif 000006
【図５】
2015102824.tif 000007
【図６】
2015102824.tif 000008